(57)【要約】  【課題】  洗いやすく清潔で、長く使える洗眼容器を提供する。  【解決手段】  表面をガラス質で覆う磁器製やガラス製、セラミックス製、金属性、さらには、誘電性のシリコンゴムや誘電性のプラスチックとし、とし、縁部は丸みを持たせたり、二重にしたりし密着性を高めると共に、容器の底部は丸みを持たせ、ゴミが付着しにくくかつ洗浄しやすくした。さらに、持ち易さを高め、周囲や底に摘み部を設けた、さらに、外周の彩色を施し、見栄えを良くしたことを特徴とする。その上、上下中心線に対し非対称形とし、左右それぞれを対称形とし、より密着性を高めた。【選択図】  図３
0003169870.tif 000002
【実用新案登録請求の範囲】
【請求項１】
容器に洗眼液を入れて目に当てて眼を洗う洗眼用の容器において、  釉薬をかけた磁器・陶器、ガラス、ファインセラミック、金属、導電性のシリコンゴム、又は、導電性のプラスチックで形成したことを特徴とする洗眼用容器。
【請求項２】
請求項１に記載の洗眼用容器において、内部を中空構造としたこと  を特徴とする洗眼用容器。
【請求項３】
請求項１または２の何れか一項に記載の洗眼容器において、  容器の縁部周囲の形状を上下非対称形とし、左右用を定め、左右用それぞれを対称形にしたことを特徴とする洗眼用容器。
【請求項４】
請求項１から３の何れか一項に記載の洗眼容器において、  容器壁部と底部の境目の全周囲を曲率半径５ｍｍ以上の曲線状としたことを特徴とする洗眼用容器。
【請求項５】
請求項１から４の何れか一項に記載の洗眼容器において、  容器の縁を少なくとも２重に設けたことを特徴とする洗眼用容器。
【請求項６】
請求項１から５の何れか一項に記載の洗眼容器において、  容器の縁をフランジ状に外側に形成し、縁部の全周囲を曲率半径５ｍｍ以上の曲線状としたことを特徴とする洗眼用容器。
【請求項７】
請求項１から６の何れか一項に記載の洗眼容器において、容器外周に指で摘むための凹み部を設けたことを特徴とする洗眼用容器。
【請求項８】
請求項１から７の何れか一項に記載の洗眼容器において、容器底に指で摘むための摘み部を設けたことを特徴とする洗眼用容器。
【請求項９】
請求項１から８の何れか一項に記載の洗眼容器において、容器底に、穴を有する摘み部を設けたことを特徴とする洗眼用容器。
【請求項１０】
請求項１から９の何れか一項に記載の洗眼容器において、  容器底部に台座を設けたことを特徴とする洗眼用容器。
【請求項１１】
請求項１から１０の何れか一項に記載の洗眼容器において、容器周辺に模様を施したことを特徴とする洗眼用容器。
【考案の詳細な説明】
【技術分野】
【０００１】  本考案は、目を洗浄液で洗うためのカップ状の洗眼容器に関する。
【背景技術】
【０００２】  現在、目を洗う為の容器としてプラスチックやエラストマー、シリコンゴムなどで成形した容器や、これらを組み合わせた容器がある。また、洗浄時に容器内に溶液を噴射したり、溶液をスクイズしたり、異物の回収部を備えたものがある。【０００３】  例えば、特許文献１には、「使い捨て容器に依る使用前後の洗浄の不要化と予め洗浄液を入れて密封する事で容器の清潔さを保ち、洗浄液は冷暗所保存を要さない成分として保管も簡易化する。」と記載されている。【０００４】  特許文献２には、「容器本体１０に貯留した洗浄液を噴出する噴出部１１、及び、噴出した洗浄液を収容する異物回収部１２，１２を備え、噴出部１１は、底壁または側壁の少なくともいずれかが可撓性を有することを特徴とする洗眼容器。」と記載されている。【０００５】  しかしながら、特許文献１に示された、使い捨て容器は、廃棄物が発生する。特許文献２に示された容器は、可撓性があり、洗浄液を噴出するには良いが、押しつける行為と噴出を同時に片手で行うのは難しく両手を要する結果になったり、噴出行為に気を取られ、液を漏らしたり、押しつけすぎを起こしたりする事になりやすかった。その様な事から噴射機能が使われない結果、余分な機構部の洗浄が重荷になり兼ねなかった。また、可撓性のプラスチック類は臭いも付きやすく汚れも付着しやすかった。そのため、使用回数一回でないものの使い捨ての洗眼容器になっていた。また、見栄えも良くなかった。一方で可撓性のプラスチック類を使用する事により左右を兼用としているため、左右での密着度の違いが発生し漏れを起こす原因や、部分的な強い押しつけから痛みを覚える事があった。
【先行技術文献】
【特許文献】
【０００６】
【特許文献１】特開２００３−２４４１３号公報
【特許文献２】特開２００６−９５２４１号公報
【考案の概要】
【考案が解決しようとする課題】
【０００７】  そこで本考案は、本来、目の開閉、瞬きで洗浄が可能な事を重要視し、簡単に密着させ、瞬きにより眼球の洗浄を行う洗浄器具であるが、洗浄器具自体にゴミが付着しにくく、付着したとしても洗浄しやすく、繰り返し使える洗眼容器を提供することを目的とする。
【課題を解決するための手段】
【０００８】  上記課題を解決するために、本考案の一態様に係る洗眼容器は、表面をガラス質（釉薬）で覆う陶磁器製やガラス製、ファインセラミックス製、金属性、さらには、誘電性のシリコンゴムや誘電性のプラスチックとし、縁部は丸みを持たせたり、二重にしたりし密着性を高めると共に、容器の底部は丸みを持たせ洗浄しやすくした。さらに、持ち易さを高め、周囲や底に摘み部を設けた、さらに、外周の彩色を施し、見栄えを良くしたことを特徴とする。
【考案の効果】
【０００９】  本考案によれば、表面にゴミが付きにくく、また、付いたとしても洗浄がしやすく、清潔に使え、扱いやすく、長期間使用できて環境に優しく、見た目にも良い洗眼容器が提供できる。
【図面の簡単な説明】
【００１０】
【図１】本考案の第一の実施形態に係る洗眼容器１の斜視図である。
【図２】本考案の第一の実施形態に係る洗眼容器１ａの断面図である。
【図３】本考案の第二の実施形態に係る洗眼容器１ｂの斜視図（ａ）と一部断面図（ｂ）である。
【図４】本考案の第三の実施形態に係る洗眼容器１ｃの斜視図である。
【図５】本考案の第四の実施形態に係る洗眼容器１ｄの斜視図（ａ）と、その乾燥時を示す図（ｂ）である。
【図６】本考案の第五の実施形態に係る洗眼容器１ｅの斜視図である。
【図７】本考案の第六の実施形態に係る洗眼容器１ｆの断面図である。
【図８】本考案の第七の実施形態に係る洗眼容器１ｇ，１ｈの正面図（ａ）と平面図（ｂ）である。
【考案を実施するための形態】
【００１１】  本考案の実施の形態について、以下、図に基づいて説明する。
【００１２】  ＜第一の実施形態＞  図１は、本考案の第一の実施形態に係る洗眼容器１の斜視図である。洗眼容器１は、縁部２と底部３と壁部４で構成されており、少なくとも各内面は滑らかな表面ｓで構成されている。また、陶磁器、ガラス、ファインセラミックス、又はステンレス、チタン等の金属で形成されている。陶磁器の場合、表面に釉薬を塗ることにより、ガラス質で各内面を覆う。ファインセラミックスは、アルミナやジルコニウムを焼結したもので、表面を研磨する事により滑らかになる。ガラスの場合、吹きガラスや、ブロー成形でも良く、縁部が切り口になる場合は、縁部等を溶融して滑らかに仕上げる。金属は表面を鏡面状に磨いたものである。また、金属に釉薬を塗り焼き付けたホーロとしてもよい。また、誘電性のシリコンゴムや誘電性のプラスチックを用いて成型したものとしてもよい。導電性を持たせることにより静電気によるゴミ、ホコリの吸着を防止することができる。各導電性は弱導電性でよく、一般的にカーボンや銀を付加した材料が使用される。
【００１３】  図２は、本考案の第一の実施形態の変形例に係る洗眼容器１ａの断面図である。洗眼容器１ａの縁部２ａは、容器外側方向にフランジ状に形成され、曲率半径５ｍｍ以上の曲面の縁部半径ｒ１で全周囲を形成されている。縁部を曲面とする事により、平面に比べて眼球周辺の皮膚に当たる部分の縁周辺が、面から線で当たりやすくなり、より皮膚面を確実に捉え、洗浄液の漏れを防止できる。また、底部３から壁部４にかけて曲率半径５ｍｍ以上の曲面状に全周囲が底部立上半径ｒ２で構成されている。この様に曲面とする事で、洗浄性が増し、洗い残しを減らせる、例えば、底部立上部５ａは指８の腹を押しつけて洗浄する事が出来る。また、底部３には、食器の高台状の台座５を設けている。台座５は形状に制限はなく、焼結時の台座や、洗眼液を注入時の台座として活用される。また、ワイングラス等に見られるような、棒状の摘み部と台を組み合わせた形状のものでもよい（図７参照）。以降、図１、図２で示した同じ解説は省略する。
【００１４】  ＜第二の実施形態＞  図３は、本考案の第二の実施形態に係る洗眼容器１ｂの斜視図（ａ）と一部断面図（ｂ）である。洗眼容器１ｂの縁部２ｂは、二重に設けられ、断面図に示されるように、眼球周辺の皮膚に当たる面を、丸めてあり、皮膚面を捉え易くし、さらに、縁部２ｂを二重にする事により、内部の一重目の縁部で漏れた洗浄液を二重目の縁部で防ぐものである。ここでは二重縁を示したが、三重縁以上にしてもよい。図示しないが、縁の間の溝を深くし、この溝にシリコンゴムやウレタンゴムなどのパッキン材をはめ込み、より皮膚面との密着度をあげてもよい。
【００１５】  ＜第三の実施形態＞  図４は、本考案の第三の実施形態に係る洗眼容器１ｃの斜視図である。洗眼容器１ｃの壁部４には、凹み部ｄを設けた摘み部ｔ１が設けられ、洗眼時にこの摘み部ｔ１の凹みに指の腹をかけて、摘む事により、洗眼時の取り扱いをしやすくする。凹み部は線状や、編み目状の凸凹模様を設け指が滑らないようにしても良い。
【００１６】  ＜第四の実施形態＞  図５（ａ）は、本考案の第四の実施形態に係る洗眼容器１ｄの斜視図である。洗眼容器１ｄの底部３には、穴ｈの空いた摘み部ｔ２が設けられ、洗眼時にこの摘み部ｔ２の凹みに指８の腹をかけて摘む事により、洗眼時の取り扱いをしやすくする。また、図５（ｂ）は、穴ｈの使用例を示し、穴ｈをフック９に掛けて乾燥を行っている状態を示す。
【００１７】  図６は、本考案の第五の実施形態に係る洗眼容器１ｅの斜視図である。洗眼容器１ｅの壁部４には、花の絵模様７が描かれており、洗眼容器１ｅから洗眼気分を華やかにするものであり、見栄えも良く、使用者も楽しさが増す。
【００１８】  図７は、本考案の第六の実施形態に係る洗眼容器１ｆの断面図で、底部３及ぶ壁部４の内部を中空にしたものを示す。一部に心材を入れ、全体の肉厚感を増しながら、軽量化し、強度を増した構造としている。また、底部３には、ワイングラス等に見られるような、棒状の摘み部５ｂと円形すり鉢状の接地部５ｃからなる台座５が取り付けられている。台座５は、洗眼液を注入する際の台座としてや、洗眼時の摘み部にもなる。
【００１９】  なお、上述の実施形態の洗眼容器１、１ａ、１ｂ、１ｅの特徴を備えていてもよい。
【００２０】  図８は、本考案の第七の実施形態に係る洗眼容器１ｇ、１ｈの正面図（ａ）と平面図（ｂ）である。本実施形態は、右目用と左目用としたことに特徴がある。上述の実施形態一〜六のいずれか又はそれらを組み合わせた特徴を備える。
【００２１】  洗眼容器１ｇは左目用を示し、目頭側突起部８ａは、中心線より稍上側に位置する形状を示す。本洗眼容器１ｇ、１ｈは、目尻側に比べ、目頭側は稍細い形状であり、上下中心線ｃより稍上に位置する特性の人に合わせたものである。目の形態が、一般にこのような特性が見られることに配慮している。このような特性を考慮すると必然的に上下非対称になり、しいては左右対称形なる。洗眼容器１ｈは、左目用の洗眼容器１ｇに対称とした右眼用の洗眼容器である。先に示した特性は、一例であり、これ以外にも眼の縁周辺形状の相違は、人種や、年齢、頭部大きさなどによって色々と変化が表れるであろう。それらを、主に段差や周辺曲線を考慮して縁部の形状を構成し対処するものである。
【００２２】  なお、右目用と左目用との区別が明確なように、それぞれを示す文字や図形が表面に添付されていても良い。
【００２３】  なお、上記の各図は、本考案の特徴を説明するにあたって、洗眼容器の主要構成を示したものであり、一般的な洗眼容器に必要な構成を排除するものでもない。
【符号の説明】
【００２４】１・１ａ〜１ｈ：洗眼容器、２・２ａ・２ｂ：縁部、３：底部、４：壁部、５：台座、５ａ：底部立上部、摘み部：５ｂ、接地部：５ｃ、６：中空部、７：模様、８：指、８ａ：目頭側突起部、９：フック、ｓ：滑らか表面、ｄ：凹み部、ｔ１・ｔ２：摘み部、ｒ１：縁部半径、ｒ２底部立上半径、ｈ：穴部、ｃ：上下中心線
【図１】
0003169870.tif 000003
【図２】
0003169870.tif 000004
【図３】
0003169870.tif 000005
【図４】
0003169870.tif 000006
【図５】
0003169870.tif 000007
【図６】
0003169870.tif 000008
【図７】
0003169870.tif 000009
【図８】
0003169870.tif 000010